【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】  所定量の液体を繰り返し吸引および配量するため、中空のハウジング（５２；１２７；１８２；２８２）を備えたピペット・チップ（４１）とともに使用するピペット（５１；１２６；１８１；２６１；２８１）で、ハウジングは第１および第２末端（５２ａ、５２ｂ；１２７ａ、５２ｂ；１８２ａ、５２ｂ；２８２ａ、５２ｂ）を有し、第２末端は、ピペット・チップを着脱式に受けるような構成であり、さらに、ハウジングの第１末端内に配置された第１末端（６８；１３３；１８８；２６４；２９７）およびハウジングの第２末端の周囲で垂直方向に動作可能な第２末端（６９；１３４；６９；６９）を有するハウジングによって担持されたエジェクタ（６７；１３２；１８７；２６３）を備え、エジェクタ（６７）は、ピペット・チップをハウジングの第２末端に確実に装着することができる第１位置から、ピペット・チップを押してハウジングの第２末端から分離する第２位置へと動作可能であり、さらにハウジング内に担持されたばね（７６；１５１；２１６；３０１）、ばねにエネルギを蓄積するよう、ばねを圧縮するためにハウジングに担持される手段（７７；１３７；２１８；３０２）、ばねを圧縮位置に保持するためにハウジングに担持されたロック手段（８１；１５６；１９８；２２５；３２３）、およびエジェクタをばねによって第２位置へと作動させ、ピペット・チップをハウジングの第２末端上で遠位方向に動作させるよう、ロック手段を解放する解放手段（９１；１４６；２３２，２３６；３２６，３３３）を備えるピペット。
【請求項２】  人間の手で使用し、第１末端（５２ａ；１２７ａ；１８２ａ）は形状がほぼ円筒形であり、手で保持するようにサイズ決定され、ロック手段を解放する手段（９１；１４６；２３２，２３６；３２６，３３３）が指で作動可能である、請求項１に記載のピペット。
【請求項３】  ばねを圧縮する手段がフランジ部材（７７；２２３；３０２）を含み、ばねが、ハウジングに当てて配置された第１端部分、およびフランジ部材に当てて配置された第２端部分を有する、請求項１に記載のピペット。
【請求項４】  さらに、エジェクタと一体であるフランジ部材（７７；２２３）を固定する手段を備え、それによってエジェクタが第２位置から第１位置へと動作するとばねが圧縮する、請求項３に記載のピペット。
【請求項５】  ばね（７６；２１６；３０１）が、エジェクタの第１末端の少なくとも一部の周囲に同心状に配置される、請求項３に記載のピペット。
【請求項６】  エジェクタ（１８７）の第１末端（１８８）が衝突面（１９４）を有し、フランジ部材（２２３）が、エジェクタの第１末端上に滑動自在に配置され、衝突面から隔置された第１位置と、衝突面と係合する第２位置との間でエジェクタに対して動作可能なピストン（２１８）の一部であり、ロック手段（１９８）が、ピストンをエジェクタの第１末端に対してその第１位置で保持し、それによってロック手段を解放すると、ピストンが衝突面に向かって加速し、ハウジングからのピペット・チップの取り外しを容易にするため、エジェクタに衝撃力を提供する、請求項３に記載のピペット（１８１）。
【請求項７】  解放手段（２３２，２３６）が、ロック手段のロックを解除するロック解除手段を含む、請求項６に記載のピペット。
【請求項８】  ロック手段が、エジェクタの第１末端によって担持され、ばねでバイアスを加えたピン（２２５）を含み、ピストン（２１８）に、ピンを受けて、ピストンを第１位置に保持するための窪み（２３１）を設け、解放手段は、ピストンを第１位置から解放するよう、ピンを窪みから出すために、休止位置から作動位置へと動作可能なボタン（２３２）を含む、請求項７に記載のピペット。
【請求項９】  ピストン（２１８）が、エジェクタ（２６３）の第１末端に滑動自在に配置された管状ピストンであり、エジェクタの第１末端が第１および第２入れ子式部材（２６６、２６７）を備え、第１入れ子式部材（２６６）は第１および第２端部分を有し、第２入れ子式部材（２６７）はエジェクタの第２末端に固定されて、第１入れ子式部材の第２端部分を受けるため、軸方向に延在する内腔を有し、さらに第１・第２入れ子式部材間の相対的な軸方向の動作を容易にするため、第１および第２入れ子式部材のうち少なくとも一方に担持された転がり軸受け手段（２７１）を備え、第１入れ子式部材の第１端部分を管状ピストン内で受け、それによって管状ピストンが、第２入れ子式部材から隔置された第１位置と、第２入れ子式部材と係合する第２位置との間で、第２入れ子式部材に対して動作可能であり、ばね（２１６）が、ハウジングに当てて配置された第１端部分、および管状ピストンに当てて配置された第２端部分を有し、ロック手段は、第２入れ子式部材に対して管状ピストンをその第１位置で保持し、それによってロック手段を解放すると、管状ピストンが第２入れ子式部材に向かって加速し、ハウジングからのピペット・チップの取り外しを容易にするため、第２入れ子式部材に衝撃力を提供する、請求項６に記載のピペット（２６１）。
【請求項１０】  ロック手段が、第１入れ子式部材（２６６）によって担持され、ばねでバイアスをかけられたピン（２２５）を含み、管状ピストン（２１８）に、ピンを受けて管状ピストンを第１位置に保持するための窪みを設け、解放手段が、管状ピストンを第１位置から解放するようピンを窪みから出すために、休止位置から作動位置へと動作可能なボタン（２３２）を含む、請求項９に記載のピペット（２６１）。
【請求項１１】  さらに、フランジ部材を第２位置から第１位置へと動作させるモータ付きアセンブリ（３０６）を備える、請求項６に記載のピペット（２８１）。
【請求項１２】  モータ付きアセンブリ（３０６）が、ピペット・チップに液体を吸引し、そこから配量するため、第１位置と第２位置間で直線的に動作可能な軸を含むはめ歯および歯車アセンブリ（３０７）を含み、軸が第２位置から第２位置へと動作すると、ピストンが第２位置から第１位置へと動作する、請求項１１に記載のピペット。
【請求項１３】  エジェクタの第１末端が、ハウジング（５２）の第１末端（５２ａ）に滑動自在に配置された棒（６８）を含み、解放手段（９１）がボタン（１０６）を含み、ロック手段が、ハウジングによって旋回自在に担持されたブレーキ（８１）を含み、棒が通る開口（８４）を設けられ、ブレーキ（８１）を、ブレーキが棒と機能的に係合してエジェクタを第１位置にロックする第１位置から、エジェクタ機構が第２位置へと動作できるよう、ブレーキが棒を解放する第２位置へと動作させるため、解放機構（９１）がボタン（１０６）によって作動可能である、請求項３に記載のピペット。
【請求項１４】  エジェクタの第１末端（１８８）が衝突面（１９４）を有し、フランジ部材（２２３）が、エジェクタの第１末端に滑動自在に配置されたピストン（２１８）の一部であり、衝突面から隔置された第１位置と、衝突面と係合する第２位置との間でエジェクタに対して動作可能であり、ロック手段（１９８）は、エジェクタの第１末端に対してピストンをその第１位置で保持する２次ロック手段（２２５）を含み、それによってボタン（２３２）を作動すると、ピストンがブレーキ（１９８）の第２位置への動作をトリガして、衝突面へ加速させるよう、２次ロック手段が解放され、それによってハウジングからのピペット・チップの取り外しを容易にするため、エジェクタに衝撃力を提供する、請求項１３に記載のピペット（１８１）。
【請求項１５】  解放機構が、ハウジングによって滑動自在に担持され、ブレーキ（１９８）を第１位置から第２位置へと動作させるため、ピストン（２１８）によって作動可能である追加の棒（２５３）を含む、請求項１４に記載のピペット（１８１）。
【請求項１６】  ボタン（２３２）が、休止位置から、ブレーキを第２位置へと動作させるよう解放機構（２５１）を作動させる第１作動位置へ、およびハウジングからのピペット・チップの取り外しを向上させるため、エジェクタを第２位置へと手動で作動させる第２作動位置へと動作可能である、請求項１３に記載のピペット（１３１）。
【請求項１７】  ばねを圧縮する手段がボタン（１３７；３２６）およびフランジ部材（１５２；３０２）を含み、ばね（１５１；３０１）が、ボタンに当てて配置された第１端部分、およびフランジ部材に当てて配置された第２端部分を有する、請求項１に記載のピペット。
【請求項１８】  ロック手段が、エジェクタの第１センタによって担持され、ばねでバイアスがかけられたピン（１５６）、およびエジェクタを第１位置で保持するよう、ピンを受けるためにハウジングに設けた窪みを含み、ボタン（１３７）が、エジェクタを第１位置から解放するようピンを窪みから出すため、休止位置から作動位置へと動作可能である、請求項１７に記載のピペット。
【請求項１９】  さらに、エジェクタを第１位置に保持するためにハウジングによって担持された追加のロック手段（２２５）を備える、請求項１に記載のピペット。
【請求項２０】  所定量の液体を吸引および配量するため、ピペット・チップ（４１）とともに使用するピペット（５１；１２６；１８１；２６１；２８１）であり、ハウジング（５２；１８２；２８２）と、ハウジングから延びてピペット・チップ（４１）を受けるピペットチップ装着軸（５２ｂ）と、装着軸（５２ｂ）からピペット・チップ（４１）を出すためのピペットチップエジェクタ機構（６６）と、を有するピペット（５１；１２６；１８１；２６１；２８１）において、
ピペット・チップ（４１）が装着軸（５２ｂ）に装着されている時にエネルギーを蓄え、ピペット・チップ（４１）が装着軸（５２ｂ）から取り外される時にその取り外しのために蓄えられたエネルギーを解放する、エネルギー蓄積ばね（７６；２１６；３０１）を有して、ピペット・チップ（４１）を装着軸（５２ｂ）から取り外す機構を更に有することを特徴とする、ピペット。
【請求項２１】  ピペット・チップ（４１）を装着軸（５２ｂ）から取り外す機構は、
ピペット・チップ（４１）が装着されるべき装着軸（５２ｂ）の末端に近い第一位置に通常は偏らされ、ピペット・チップ（４１）が当該偏らせに抗して装着軸（５２ｂ）に装着される時に移動可能であり、ピペット・チップ（４１）が装着軸（５２ｂ）に完全に装着される時に縮み位置に達する、エジェクタ（６７；１８７；２６３；２９６−２９８，３０２）と、
エジェクタを前記偏らせに抗して縮み位置に保持する保持手段（８１；１９８；３１６，３２３）と、
装着軸（５２ｂ）からのピペット・チップ（４１）の取り外しのために、装着軸（５２ｂ）の末端に近い位置に、前記偏らせに応答したエジェクタ（６７；１８７；２６３；２９６−２９８，３０２）が戻ることを許すように保持手段を解放する、解放組立体（９１；２５１）と、
を有する、請求項２０に記載のピペット。
【請求項２２】  ピペット・チップ（４１）を装着軸（５２ｂ）から取り外す機構は、
エネルギー蓄積ばね（７６；２１６；３０１）と、
ピペット・チップ（４１）の装着軸（５２ｂ）上への装着に応答してエネルギーをエネルギー蓄積ばね（７６；２１６；３２６）に蓄積させる、エジェクタ（６７；１８７；２６３；２９６−２９８，３０２）と、
装着軸（５２ｂ）からのピペット・チップ（４１）の取り外しのために、エネルギー蓄積ばねからエネルギーを解放させる解放組立体（９１；２５１；３２６）と、
を有する、請求項２０に記載のピペット。
【請求項２３】  エジェクタ（６７；１８７；２６３；２９６−２９８，３０２）は、装着軸（５２ｂ）からピペット・チップ（４１）を取り外す部分（６９ｂ）を有し、解放組立体（９１；２５１；３２６）はエネルギー蓄積ばね（７６；２１６；３０１）からエネルギーを解放させて、取り外す部分（６９ｂ）を移動させる、請求項２２に記載のピペット。
【請求項２４】  エジェクタ機構（６６；１８６；２６２；２９４）は、ハウジング（５２；１８１；２８２）に保持され、取り外す部分（６９ｂ）は、ピペット・チップ（４１）が装着軸（５２ｂ）上に装着されることを可能にする第一位置からと、ピペット・チップ（４１）が装着軸（５２ｂ）からピペット・チップ（４１）に係合するピペット・チップ取り外し部材により取り外される第二位置とから、移動可能である、請求項２３に記載のピペット。
【請求項２５】  エネルギー蓄積ばね（７６；２１６；３０１）は、らせんばねを含む、請求項２３に記載のピペット。
【請求項２６】  エネルギー蓄積ばね（７６；２１６；３０１）にエネルギーを蓄積させるエジェクタ（６７；１８７；２６３；２９６−２９８，３０２）は、ピペット・チップ（４１）の装着軸（５２ｂ）上への装着に応答してらせんばねを圧縮しエネルギーをエネルギー蓄積ばね（７６；２１６；３２６）に蓄積させる取り外す部分（６９ｂ）と、らせんばねを圧縮状態に保持する保持手段（８１；１９８；３１６，３２３）とを備え、
解放組立体（９１；２５１；３２６）は保持手段を解放してエネルギー蓄積ばね（７６；２１６；３０１）からエネルギーを解放させ、ピペット・チップ（４１）に対して取り外す部分（６９ｂ）を駆動してピペット・チップ（４１）を装着軸（５２ｂ）から取り外す、請求項２５に記載のピペット。
【請求項２７】  保持手段（８１；１９８；３１６，３２３）は、らせんばねがピペット・チップ（４１）の装着軸（５２ｂ）上への移動により圧縮されることが可能であり且つ装着軸（５２ｂ）に対して反対方向の移動を防止するロック状態と、らせんばねを解放してピペット・チップ（４１）を装着軸（５２ｂ）から取り外す方向に取り外す部分（６９ｂ）を駆動する非ロック状態とに変化可能である、請求項２６に記載のピペット。
【請求項２８】  ハウジング（５２；１８２；２８２）は、ピペット・チップ（４１）の使用者が手で保持可能であり、解放組立体（９１；２５１；３２６）は使用者が操作可能である、請求項２２に記載のピペット。
【請求項２９】  らせんばねは、ハウジング（５２；１８２；２８２）に固定される第一末端部分と、取り外す部分（６９ｂ）と共に移動可能な第二末端部分と、を有する、請求項２５に記載のピペット。
【請求項３０】  ピペット・チップ取り外し部材は、衝撃面（１９４；２７２；２９９）を備え、ピストン（２１８；３０２）が、エネルギー蓄積ばねにより解放されたエネルギーに応答して衝撃面に当たってピペット・チップを装着軸から移動させる、請求項２５或いは請求項２６に記載のピペット。
【請求項３１】  ピペット・チップが装着されるべき装着軸（５２ｂ）を備えるピペット（５１；１８１；２６１；２８１）において、ピペット・チップを装着軸から取り外すための機構であり、
通常位置にある時にピペット・チップ（４１）が装着される装着軸の末端近くで終端となり、ピペット・チップが装着軸上に装着される時にばね負荷に抗して装着軸の前記末端から離れて縮み位置まで移動可能な、ばね負荷されたチップエジェクタ（６７；１８７；２６３）と、
チップエジェクタ（６７；１８７；２６３）をばね負荷に抗して縮み位置に保持する保持手段（８１；１９８；３１６，３２３）と、
ピペット・チップを装着軸から取り外すために、ばね負荷に応じてチップエジェクタ（６７；１８７；２６３；２９６−２９８）がその通常位置に戻るよう保持手段を解放する解放組立体（９１；２５１；３２６）と、を有する機構。
【請求項３２】  チップエジェクタ（６７；１８７；２６３；２９６−２９８，３０２）が、ピペット・チップにより、装着軸の末端から離される、請求項３１に記載の機構。